【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
基板上に線状発熱体を有するヒーターと、金属層を有しており内周面が前記ヒーターと接触するエンドレスベルトと、前記エンドレスベルトの外周面と接触しており前記エンドレスベルトを介して前記ヒーターと共に記録材を挟持搬送するニップ部を形成する加圧部材と、を有し、前記ニップ部で記録材上の画像を加熱定着する定着装置において、
前記ヒーターの前記エンドレスベルトとの接触面には前記エンドレスベルトと接触する接触領域と接触しない非接触領域があり、前記エンドレスベルト回転方向において、前記接触領域の幅は前記ニップ部の幅より狭く、前記ヒーターの前記線状発熱体の領域は全て前記接触領域と重なっていることを特徴とする定着装置。
【請求項２】
前記エンドレスベルトは弾性層を有することを特徴とする請求項１に記載の定着装置。
【請求項３】
前記エンドレスベルトの１ｃｍ２あたりの熱容量は４．１９×１０−２Ｊ／ｃｍ２以上４．１９Ｊ／ｃｍ２以下であることを特徴とする請求項１または２に記載の定着装置。
【手続補正２】
【補正対象書類名】明細書
【補正対象項目名】発明の名称
【補正方法】変更
【補正の内容】
【発明の名称】定着装置
【手続補正３】
【補正対象書類名】明細書
【補正対象項目名】０００１
【補正方法】変更
【補正の内容】
【０００１】
本発明は、複写機、レーザービームプリンタ、ファクシミリ等の画像形成装置におけるトナー画像定着装置として用いて好適な定着装置に関する。
【手続補正４】
【補正対象書類名】明細書
【補正対象項目名】０００２
【補正方法】変更
【補正の内容】
【０００２】
さらに詳しくは、電子写真、静電記録、磁気記録等の適宜の画像形成プロセス手段により、加熱溶融性の樹脂等よりなるトナーを用いて、記録媒体（紙、印刷紙、転写材シート、ＯＨＴシート、光沢紙、光沢フィルム等）の面に直接方式もしくは間接（転写）方式で目的の画像情報に対応した未定着トナー画像を形成担持させ、該未定着トナー画像を、該画像を担持している記録媒体の面上に固着画像として加熱定着処理する定着装置に関するものである。
【手続補正５】
【補正対象書類名】明細書
【補正対象項目名】０００４
【補正方法】変更
【補正の内容】
【０００４】
このようなフィルム加熱方式の定着装置の一例を図９に示す。この定着装置では、支持部材１１５に固定支持させたヒーター１１２と、弾性加圧ローラ１１４との間に薄肉の定着フィルム１１１をはさませて定着ニップ部Ｎを形成させ、定着フィルム１１１をヒーター１１２の面に摺動移動させ、定着ニップ部Ｎの定着フィルム１１１と加圧ローラ１１４の間でトナー画像ｔを担持させた記録媒体Ｐを挟持搬送して定着フィルム１１１を介したヒーター１１２からの熱により記録媒体上のトナー画像を加熱する構成である。記録媒体Ｐ上の未定着トナー画像ｔは定着ニップ部Ｎを通過する際に熱と圧力を受けて記録媒体Ｐ上に定着される。
【手続補正６】
【補正対象書類名】明細書
【補正対象項目名】００２５
【補正方法】変更
【補正の内容】
【００２５】
本発明は、この種のフィルム加熱方式の定着装置において、移動部材として金属層を有するエンドレスベルトを用いた場合における上記のようなヒーター裏面温度上昇、これに起因の問題の発生を防止するものである。
【手続補正７】
【補正対象書類名】明細書
【補正対象項目名】００２６
【補正方法】変更
【補正の内容】
【００２６】
本発明は下記の構成を特徴とする定着装置である。
【手続補正８】
【補正対象書類名】明細書
【補正対象項目名】００２７
【補正方法】変更
【補正の内容】
【００２７】
（１）基板上に線状発熱体を有するヒーターと、金属層を有しており内周面が前記ヒーターと接触するエンドレスベルトと、前記エンドレスベルトの外周面と接触しており前記エンドレスベルトを介して前記ヒーターと共に記録材を挟持搬送するニップ部を形成する加圧部材と、を有し、前記ニップ部で記録材上の画像を加熱定着する定着装置において、前記ヒーターの前記エンドレスベルトとの接触面には前記エンドレスベルトと接触する接触領域と接触しない非接触領域があり、前記エンドレスベルト回転方向において、前記接触領域の幅は前記ニップ部の幅より狭く、前記ヒーターの前記線状発熱体の領域は全て前記接触領域と重なっていることを特徴とする定着装置。
（２）前記エンドレスベルトは弾性層を有することを特徴とする（１）に記載の定着装置。
（３）前記エンドレスベルトの１ｃｍ２あたりの熱容量は４．１９×１０−２Ｊ／ｃｍ２以上４．１９Ｊ／ｃｍ２以下であることを特徴とする（１）または（２）に記載の定着装置。
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】削除
【補正の内容】
【手続補正１５】
【補正対象書類名】明細書
【補正対象項目名】００３４
【補正方法】削除
【補正の内容】
【手続補正１６】
【補正対象書類名】明細書
【補正対象項目名】００３５
【補正方法】削除
【補正の内容】
【手続補正１７】
【補正対象書類名】明細書
【補正対象項目名】００３６
【補正方法】削除
【補正の内容】
【手続補正１８】
【補正対象書類名】明細書
【補正対象項目名】００３７
【補正方法】削除
【補正の内容】
【手続補正１９】
【補正対象書類名】明細書
【補正対象項目名】００３８
【補正方法】変更
【補正の内容】
【００３８】
上記の構成により、ヒーターの線状発熱体から供給される熱を効率的に金属層を有するエンドレスベルトに伝達し、装置の部品損傷や、装置の使用によるトルク上昇によるスリップを防止することが可能となった。
【手続補正２０】
【補正対象書類名】明細書
【補正対象項目名】００５１
【補正方法】変更
【補正の内容】
【００５１】
一方、転写材供給部となる転写材カセット１０にセットされた記録媒体（記録材）としての転写材Ｐは、給送ローラ１１により給送され、レジストローラ１２により所定の制御タイミングで、二次転写ローラ対向ローラ１４に懸回されている中間転写ベルト６部分と二次転写手段としての二次転写ローラ１３とのニップ部に搬送される。
【手続補正２１】
【補正対象書類名】明細書
【補正対象項目名】００５５
【補正方法】変更
【補正の内容】
【００５５】
（２）定着装置Ｆ
図２は定着装置Ｆの概略構成模型図である。本例の定着装置Ｆは、定着フィルム（移動部材）として金属層を有するエンドレスベルトを用いたフィルム加熱方式、加圧用回転体駆動方式（テンションレスタイプ）の加熱装置である。
【手続補正２２】
【補正対象書類名】明細書
【補正対象項目名】００５６
【補正方法】変更
【補正の内容】
【００５６】
１）装置Ｆの全体的構成
２０は定着フィルムとしての金属層を有するエンドレスベルト（以下、定着ベルトと記す）であり、弾性層を設けてなるスリーブである。このスリーブ状の定着ベルト２０は次の２）項で詳述する。２２は加圧部材としての加圧ローラである。１７は横断面略半円弧状樋型の耐熱性・剛性を有するヒーターホルダ（加熱体保持部材）、１６は加熱体としての定着ヒーターであり、ヒーターホルダ１７の下面に該ホルダの長手に沿って配設してある。定着ベルト２０はこのヒーターホルダ１７にルーズに外嵌させてある。定着ヒーター１６は本実施例では後記３）項で詳述するようなセラミックヒーターである。
【手続補正２３】
【補正対象書類名】明細書
【補正対象項目名】００７２
【補正方法】変更
【補正の内容】
【００７２】
２）定着ヒーター１６
図５の（ａ）は定着ヒーター１６の表面側の途中部分省略の平面模型図、（ｂ）は定着ヒーター１６の裏面側の途中部分省略の平面模型図、（ｃ）はヒーターの拡大横断面模型図である。本実施例における定着ヒーター１６はヒーター基板として窒化アルミ（ＡｌＮ）を用いた裏面加熱タイプのセラミックヒーターである。
【手続補正２４】
【補正対象書類名】明細書
【補正対象項目名】００７３
【補正方法】変更
【補正の内容】
【００７３】
すなわちこの定着ヒーター１６は、ヒーター基板１６ａとしての窒化アルミ基板の一方の面に、該基板面の中央部長手に沿って往復パターンとして形成した線状抵抗発熱体（線状発熱体）１６ｂと、この線状抵抗発熱体１６ｂに対する給電用の電極部１６ｃと、線状抵抗発熱体１６ｂを覆わせて形成した保護層としての耐熱ガラスによるカラスコート層１６ｄ等で構成してある。線状抵抗発熱体１６ｂは銀・パラジウム合金を含んだ導電ペーストをスクリーン印刷法によって均一な厚さの膜状に塗布することで形成してある。本実施例において、ヒーター基板１６ａの幅Ｗａは８ｍｍ、線状抵抗発熱体１６ｂの幅Ｗｂは４ｍｍとしてある。
【手続補正２５】
【補正対象書類名】明細書
【補正対象項目名】０１０５
【補正方法】変更
【補正の内容】
【０１０５】
［その他］
１）実施例では、定着ベルト２０であるエンドレスベルトを可撓性を有する円筒状部材（スリーブ）にして、これを加圧ローラ駆動による従動回転としているが、可撓性のエンドレスベルトの内部に駆動ローラとテンションローラを設け駆動ローラを回転駆動することによりベルトを回転させるなど、任意の回転駆動手段にすることが出来る。
【手続補正２６】
【補正対象書類名】明細書
【補正対象項目名】０１０７
【補正方法】変更
【補正の内容】
【０１０７】
３）本発明の加熱装置は実施例の画像加熱定着装置としての使用に限られず、未定着画像を記録材に仮に定着せしめる仮定着装置、定着画像を担持した記録材を再加熱してつや等の画像表面性を改質する表面改質装置等の像加熱装置としても有効である。
【手続補正２７】
【補正対象書類名】図面
【補正対象項目名】図１１
【補正方法】変更
【補正の内容】
【図１１】
2005149952.tif 000001
【手続補正２８】
【補正対象書類名】図面
【補正対象項目名】図１２
【補正方法】変更
【補正の内容】
【図１２】
2005149952.tif 000002